(57)【特許請求の範囲】
【請求項１】
遊技盤の前面に配置された役物を備え、
前記役物は、
前記遊技盤の前面に当接して役物長手方向に間隔を置いて配置され且つ遊技球の落下を規制する第１規制部及び第２規制部と、
前記第１規制部及び前記第２規制部間を役物長手方向に連結する連結部と、
前記第１規制部及び前記第２規制部間で前記連結部の前側に設けられ且つ遊技球が前記連結部の役物短手方向に通過可能な通路とを含む遊技機において、
前記連結部は、
前記遊技盤の前面から前側に離間して配置された離間部と、
前記離間部に前記遊技盤の前面よりも後方に突出せずに設けられ且つ前記遊技盤の前面に当接して前記離間部を補強する補強部とを備え、
前記連結部の遊技球の流入側に、遊技球を前記通路側へと案内する案内部を傾斜状に備え、
役物長手方向に関し前記第１規制部に対して前記連結部と反対の一端側と、役物長手方向に関し前記第２規制部に対して前記連結部と反対の他端側とに、前記役物を前記遊技盤に固定する固定手段を備えた
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機の遊技盤には、発射手段から発射された遊技球を遊技領域の上部側へと案内するガイドレールが配置されると共に、その遊技領域内に画像表示手段、普通図柄始動手段、特別図柄始動手段、普通図柄表示手段、特別図柄表示手段、普通入賞手段、可変入賞手段等の各種の役物（遊技部品）が配置されている。
例えば遊技領域にガイドレールに沿って配置される役物には、サイド飾り手段と普通入賞手段とを組み合わせた複合役物がある（特許文献１）。
この複合役物は、遊技盤の前面に当接する円弧状のベース板の上部にサイド飾り手段が、下部に普通入賞手段が夫々前側に突出して設けられており、そのサイド飾り手段と普通入賞手段との間のベース板の前側が遊技球の落下通路となっている。
普通入賞手段は、ベース板から前側に突出する前側部と、ベース板から後側に突出する後側部とを有し、入賞口がその前側部に設けられ、また入賞口から入賞した遊技球を遊技盤の裏側へと案内する案内通路と、その入賞した遊技球を検出する検出スイッチとが後側部に設けられている。
またベース板の後側には、後方へと突出する補強壁が外周縁に沿って周方向に形成されている。遊技盤には後側部及び補強壁に対応する開口部が形成され、その開口部内に後側部及び補強壁が配置されている。
【先行技術文献】
【特許文献】
【０００３】
【特許文献１】特開２００９−１７２２０６号公報
【発明の概要】
【発明が解決しようとする課題】
【０００４】
この複合役物は、ベース板のサイド飾り手段と普通入賞手段との間が板状であるため、ベース板の外周縁から後側に突出する補強壁を一体に設けて、この補強壁によりベース板を補強する構造を採用しているため、遊技盤の開口部は普通入賞手段の後側部に対応する大きさでは不十分であり、後側部及び補強壁の全体に対応する大きさ、形状にする必要がある。従って、従来の複合役物の場合には、遊技盤側の開口部が非常に大きくなり過ぎて遊技盤側の剛性を確保し難くなる問題がある。
一方、補強壁がなければ、サイド飾り手段と普通入賞手段との間のベース板が薄い板状であるため、遊技盤の組立て工程の段階までにベース板がサイド飾り手段と普通入賞手段との間でベース板が屈曲して破損したり、ベース板のネジ止め時に遊技盤の前面から浮き上がる等の問題がある。
本発明は、このような従来の問題点に鑑み、役物の強度を容易に確保でき、遊技盤側の開口部等を極力小さくできる遊技機を提供することを目的とする。
【課題を解決するための手段】
【０００５】
本発明は、遊技盤の前面に配置された役物を備え、前記役物は、前記遊技盤の前面に当接して役物長手方向に間隔を置いて配置され且つ遊技球の落下を規制する第１規制部及び第２規制部と、 前記第１規制部及び前記第２規制部間を役物長手方向に連結する連結部と、前記第１規制部及び前記第２規制部間で前記連結部の前側に設けられ且つ遊技球が前記連結部の役物短手方向に通過可能な通路とを含む遊技機において、前記連結部は、前記遊技盤の前面から前側に離間して配置された離間部と、前記離間部に前記遊技盤の前面よりも後方に突出せずに設けられ且つ前記遊技盤の前面に当接して前記離間部を補強する補強部とを備え、前記連結部の遊技球の流入側に、遊技球を前記通路側へと案内する案内部を傾斜状に備え、役物長手方向に関し前記第１規制部に対して前記連結部と反対の一端側と、役物長手方向に関し前記第２規制部に対して前記連結部と反対の他端側とに、前記役物を前記遊技盤に固定する固定手段を備えたものである。
【発明の効果】
【０００６】
本発明によれば、役物の強度を容易に確保できる利点がある。
【図面の簡単な説明】
【０００７】
【図１】本発明の第１の実施形態を示すパチンコ機の斜視図である。
【図２】同遊技盤の正面図である。
【図３】同複合役物の斜視図である。
【図４】同遊技盤の複合役物周辺の正面図である。
【図５】同遊技盤の複合役物周辺の背面図である。
【図６】同普通入賞手段周辺の平面断面図である。
【図７】同普通入賞手段周辺の側面断面図である。
【図８】同普通入賞手段周辺の側面断面図である。
【図９】同普通入賞手段の背面断面図である。
【図１０】同普通入賞手段の背面断面図である。
【図１１】同普通入賞手段の背面断面図である。
【図１２】同複合役物周辺の平面断面図である。
【図１３】同複合役物周辺の側面断面図である。
【図１４】同複合役物周辺の側面断面図である。
【図１５】本発明の第２の実施形態を示す複合役物周辺の正面図である。
【図１６】同複合役物周辺の平面断面図である。
【図１７】本発明の第３の実施形態を示す複合役物周辺の側面断面図である。
【図１８】本発明の第４の実施形態を示す複合役物周辺の側面断面図である。
【図１９】本発明の第５の実施形態を示す複合役物周辺の正面図である。
【図２０】同複合役物周辺の側面断面図である。
【図２１】本発明の第６の実施形態を示す前構造体、右側通路周辺の正面図である。
【図２２】同複合役物周辺の平面断面図である。
【図２３】同複合役物周辺の側面断面図である。
【発明を実施するための形態】
【０００８】
以下、本発明の第１の実施形態を図面に基づいて詳述する。
【０００９】
図１〜図１４は本発明をパチンコ機に採用した第１の実施形態を例示する。パチンコ機は、図１に示すように矩形状の外枠１と、この外枠１の前側にヒンジ２により縦軸廻りに開閉自在に枢着された前枠３とを備えている。なお、外枠１と前枠３とにより、遊技機本体が構成されている。
【００１０】
前枠３の上部側には、図２に示す遊技盤４が前側又は後側から着脱自在に装着されている。また前枠３の前側には、遊技盤４の前側に対応する第１前扉５と、この第１前扉５の下側に配置された第２前扉６とが、ヒンジ２と略同一軸心上のヒンジ７により縦軸廻りに開閉自在に枢支されている。なお、上下の第１前扉５と第２前扉６とを一体にして、一つの前扉とすることも可能である。
【００１１】
第２前扉６の前側には発射手段に供給する遊技球を貯留するための球供給皿８が配置され、その側方に遊技球を発射する発射手段の発射ハンドル９が設けられている。なお、第２前扉６の前側には、余剰球を受ける受け皿を球供給皿８の下側に設けてもよい。
【００１２】
第１前扉５は遊技盤４の遊技領域１１に対応する透視窓１０と、遊技領域１１を視認可能に透視窓１０を塞ぐガラス板ユニット（透明板ユニット）１２とを有する。ガラス板ユニット１２は第１前扉５の後側に着脱自在に装着されている。
【００１３】
遊技盤４の前面には、図２に示すように、発射手段から発射された遊技球を案内するガイドレール１５と、略円弧状の内周面を有する外飾り部材１６とが周方向に装着され、そのガイドレール１５と外飾り部材１６との内側が略円形状の遊技領域１１となっている。ガイドレール１５は内レール１７と外レール１８とを有する。
【００１４】
内レール１７は遊技盤４の一側下部の遊技球の受け入れ部１９側と遊技領域１１の一側上部との間に配置されており、この内レール１７の上端部に、遊技領域１１からガイドレール１５側への遊技球の戻りを防止するための戻り防止具２０が設けられている。外レール１８は一側下部の遊技球の受け入れ部１９側と遊技領域１１の上部側との間に配置されている。
【００１５】
遊技領域１１には、図２に示すように前構造体２３、画像表示手段２４、普通図柄始動手段２５，２６、第１特別図柄始動手段２９、第２特別図柄始動手段３０、特別遊技用の開閉入賞手段３１、普通入賞手段３２、普通図柄表示手段３３、第１特別図柄表示手段３４、第２特別図柄表示手段３５等の各種の役物（遊技部品）が配置されている。
【００１６】
前構造体２３は遊技領域１１の左右方向の略中央で開口部（図示省略）に対応して遊技盤４の前側に配置されている。この前構造体２３の左右両側の遊技領域１１には、図２に示すように、前構造体２３と左側のガイドレール１５との間に左側通路３８が、前構造体２３と右側の外飾り部材１６との間に右側通路３９が夫々形成されている。
【００１７】
従って、発射手段により遊技領域１１の上部に打ち込まれた遊技球は、その左側通路３８、右側通路３９の何れかを経て落下した後、前構造体２３の下側の遊技領域１１で合流するようになっている。
【００１８】
前構造体２３は、遊技盤４の前面に当接する支持枠４０と、この支持枠４０の前側に着脱自在に装着された前部材４１と、前部材４１に設けられた表示窓４２とを備え、画像表示手段２４の外周側を前側から覆うように遊技盤４に前側から装着されている。前構造体２３には、前部材４１の適当箇所に普通図柄表示手段３３、第１特別図柄表示手段３４、第２特別図柄表示手段３５が装着されている。
【００１９】
画像表示手段２４は、図２に示すように、表示窓４２に対応して遊技盤４の裏側に配置された液晶式等のパネル状の画像表示部４３を有する。普通図柄始動手段２５，２６は通過ゲート式であって、左側通路３８及び右側通路３９の下側に対応して設けられている。第１特別図柄始動手段２９、第２特別図柄始動手段３０は、前構造体２３と最下部のアウト球口４５との間に上下に配置されている。特別図柄始動手段２９，３０の左右には、普通入賞手段３２と開閉入賞手段３１とが配置されている。
【００２０】
普通図柄表示手段３３は普通図柄を変動表示するためのもので、複数種類の普通図柄（例えば２種類の「○」「×」）に対応する複数個の発光素子により構成されている。普通図柄表示手段３３の発光素子は、普通図柄始動手段２５，２６が遊技球を検出することを条件に２個の発光素子が交互に点灯して所定時間点滅した後、普通図柄始動手段２５，２６の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。なお、変動後の普通図柄は１／１０程度の所定の確率で特定態様となる。
【００２１】
第１特別図柄表示手段３４、第２特別図柄表示手段３５は、発光部位の変化等で第１特別図柄、第２特別図柄を変動表示可能なセグメント式等の表示手段により構成されており、第１特別図柄表示手段３４は第１特別図柄始動手段２９が、第２特別図柄表示手段３５は第２特別図柄始動手段３０が夫々遊技球を検出することを条件に、第１特別図柄、第２特別図柄が所定時間変動して、第１特別図柄始動手段２９、第２特別図柄始動手段３０の遊技球の検出時に抽選された乱数値が予め定められた特別遊技判定値と一致した場合に所定の特別態様で、それ以外の場合に非特別態様で停止するようになっている。
【００２２】
なお、変動後の第１特別図柄、第２特別図柄は、通常確率状態中は１／３５０等の通常確率で特別遊技となり、特別遊技状態終了後の高確率状態中は１／３５等の高確率で特別遊技となる。特別遊技状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段３５の図柄変動が優先する。更に高確率状態中は第１特別図柄、第２特別図柄の変動時間も短縮される。
【００２３】
画像表示手段２４は第１特別図柄表示手段３４、第２特別図柄表示手段３５に対応する演出図柄表示手段４６を構成するもので、第１特別図柄表示手段３４の第１特別図柄、第２特別図柄表示手段３５の第２特別図柄の変動時に、その図柄変動に同期して変動する１個又は複数個、例えば３個の演出図柄４７ａ〜４７ｃを変動表示する。
【００２４】
演出図柄４７ａ〜４７ｃは第１特別図柄始動手段２９、第２特別図柄始動手段３０の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段４６は第１特別図柄表示手段３４、第２特別図柄表示手段３５に対応して別々に設けてもよい。
【００２５】
演出図柄４７ａ〜４７ｃの変動後の停止図柄は、第１特別図柄、第２特別図柄が特別態様で停止する場合には全てが揃う特別演出態様となり、第１特別図柄、第２特別図柄が外れ態様で停止する場合には少なくとも一部が異なる非特別演出態様となる。
【００２６】
例えば、演出図柄４７ａ〜４７ｃには０〜９までの数字図柄が使用されており、特別図柄が特別態様で停止する場合には演出図柄４７ａ〜４７ｃは「７・７・７」等の特別演出態様で停止し、特別図柄が非特別態様で停止する場合には演出図柄４７ａ〜４７ｃは「２・４・５」等の非特別演出態様で停止する。
【００２７】
第１特別図柄始動手段２９は非開閉式であって、画像表示手段２４の下側に配置されており、この第１特別図柄始動手段２９は右側通路３９に比較して左側通路３８を経て落下する遊技球が入賞し易くなっている。
【００２８】
第２特別図柄始動手段３０は開閉式であって、左右一対の開閉部材３０ａを備えた電動チューリップ式入賞手段等により構成され、普通図柄表示手段３３の変動後の普通図柄が特定態様で停止した場合に所定の開放パターンで開放するようになっている。
【００２９】
開閉入賞手段３１は変動後の第１特別図柄、第２特別図柄が特別態様で停止した場合に発生する特別遊技状態中に所定の開放パターンで開閉するもので、可変入賞口３１ａを開閉する開閉板３１ｂを有し、この可変入賞口３１ａに遊技球が入賞したときに、他の普通入賞手段３２等への入賞よりも多くの賞球が払い出されるようになっている。
【００３０】
普通入賞手段３２はサイド飾り手段４９と共に複合役物５０を構成するものである。複合役物５０は上部側にサイド飾り手段４９を、下部側に普通入賞手段３２を夫々有し、内レール１７の近傍で遊技盤４の前面に当接しており、その取り付け部がネジ等の固定具５１により遊技盤４に着脱自在に固定されている。
【００３１】
普通入賞手段３２は、図３〜図１１に示すように、遊技盤４の前面から前側に突出して遊技球の落下を規制する前側部５２を、サイド飾り手段４９は遊技盤４の前面から前側に突出して遊技球の落下を規制するサイド飾り部５３を夫々備えている。前側部５２とサイドサイド飾り部５３は共に規制部を構成するものであって、図３〜図５、図１２〜図１４に示すように、その前側の流下通路５７を遊技球が流下可能な連結部５４と、遊技盤４の前面から後方に突出せずに連結部５４を補強する補強部５５を介して一体に連結されている。
【００３２】
サイド飾り手段４９側のサイド飾り部５３は、図３、図１２〜図１４に示すように、遊技盤４側が開放する断面コ字状であって、ガイドレール１５の内レール１７に近接して配置されている。サイド飾り部５３の上側には遊技球を遊技領域１１の中央側へと案内する傾斜案内部５６が設けられ、またサイド飾り部５３の裏側内部には前面等の所要箇所の発光部を発光させるためのＬＥＤ基板等の発光手段（図示省略）が設けられている。
【００３３】
なお、サイド飾り部５３に発光手段を設ける場合には、ＬＥＤ基板にコネクタを介して接続されるハーネスは、連結部５４の裏側の空間（又は隙間）から開口部５９を経て遊技盤４の裏側に引き出すように配線してもよい。また連結部５４と遊技盤４との間に空間又は隙間があるなしに関係なく、ＬＥＤ基板の近傍に対応して遊技盤４にハーネス用の挿通孔を設けて、その挿通孔にハーネスを挿通するようにしてもよい。
【００３４】
普通入賞手段３２側の前側部５２は、図３に示すように遊技盤４側が開放する中空状であって、ガイドレール１５の内レール１７との間に遊技球が通過し得るだけの間隔をおいて配置されている。前側部５２の上側には遊技球をアウト球口４５側へと案内する傾斜案内部５２ａが設けられている。
【００３５】
連結部５４はガイドレール１５の内レール１７に沿って正面視円弧状の帯板状に構成されており、普通入賞手段３２の前側部５２の下側からサイド飾り手段４９のサイド飾り部５３に跨がって一体に設けられ、その長手方向の略全体が補強部５５により補強されている。
【００３６】
また、連結部５４は、図３〜図５、図１２〜図１４に示すように、遊技盤４の前面から前側に離間する板状部５４ａと、遊技盤４の前面に当接する板状部５４ｂとを有する。そして、板状部５４ａは普通入賞手段３２の前側部５２とサイド飾り手段４９のサイド飾り部５３との間に配置され、板状部５４ｂは普通入賞手段３２の前側部５２の下側に配置されている。
【００３７】
補強部５５は、連結部５４の板状部５４ａ側では遊技盤４側へと後側に屈曲又は突出するリブ部５５ａを有し、板状部５４ｂ側では前側へと屈曲又は突出するリブ部５５ｂを有する。リブ部５５ａは板状部５４ａの上下両端側から後方に突出して遊技盤４の前面に当接し、また板状部５４ａの上前側の遊技球の流入側には、流下通路６９側へと遊技球が流下し易くなるように、リブ部５５ａから板状部５４ａ側へと前下り状に傾斜して遊技球を案内する案内部６９ａが設けられている。
【００３８】
リブ部５５ｂは板状部５４ｂの前側に凹部ができるように板状部５４ｂから前側に突出している。なお、連結部５４、補強部５５は、その前側を遊技球が流下できる程度の厚さになっている。
【００３９】
サイド飾り手段４９のサイド飾り部５３には、連結部５４の下部側へと突出し且つ遊技球を下流側へと案内する突出案内部５３ａが一体に設けられており、連結部５４はこの突出案内部５３ａによって前側からも補強されている。
【００４０】
普通入賞手段３２は、図４、図６〜図１１に示すように、遊技盤４から前側に突出する前側部５２と、この前側部５２の裏側にネジ等の固定具５８により着脱自在に固定され且つ遊技盤４の開口部５９内に配置されたケース状の後側部６０と、前側部５２の左右両側に開口する第１入賞口６１及び第２入賞口６２と、後側部６０内に設けられ且つ各入賞口６１，６２に入賞した遊技球を遊技盤４の裏側へと誘導する誘導通路６３と、前側部５２内に設けられ且つ第１入賞口６１及び第２入賞口６２に入賞した遊技球を誘導通路６３へと案内する第１案内通路６４及び第２案内通路６５と、後側部６０内に設けられ且つ各入賞口６１，６２に入賞した遊技球を誘導通路６３の後端側で検出する検出スイッチ６６とを備えている。
【００４１】
第１入賞口６１は複合役物５０の連結部５４側に、第２入賞口６２は第１入賞口６１とは反対のアウト球口４５側に夫々開口している。第１入賞口６１、第２入賞口６２は前側部５２の左右中央側へと傾斜する傾斜底壁６１ａ，６２ａを有し、第２入賞口６２の傾斜底壁６２ａが第１入賞口６１の傾斜底壁６１ａよりも傾斜が緩やかになっている。
【００４２】
誘導通路６３は、図６〜図１１に示すように、前側部５２の下部から後方に突出し且つ左右方向の一方側に傾斜する通路底壁６３ａと、後側部６０の一側の案内壁６０ａとにより構成され、通路底壁６３ａの案内壁６０ａ側で遊技球を後方へと誘導するように構成されている。なお、通路底壁６３ａには前後方向に長い突状部６３ｂが左右方向に複数設けられている。
【００４３】
各案内通路６４，６５は遊技盤４の前面に沿って各入賞口６１，６２に入賞した遊技球を誘導通路６３へと後方に案内するためのもので、図６〜図１１に示すように、両入賞口６１，６２に遊技球が略同時に入賞したときに、その一方側に入賞した遊技球、例えば第２入賞口６２側に入賞した遊技球を誘導通路６３へと優先的に案内するように構成されている。
【００４４】
即ち、第１案内通路６４と第２案内通路６５との間には、第１入賞口６１からの遊技球を誘導通路６３側へと案内する第１案内手段６７と、第２入賞口６２からの遊技球を誘導通路６３側へと案内する第２案内手段６８とが設けられている。
【００４５】
第２案内通路６５の底壁６５ａは誘導通路６３側へと傾斜しており、この第２案内通路６５に対応する第２案内手段６８は第２入賞口６２からの遊技球を円滑に誘導通路６３へと案内すべく平面視略円弧状の案内部６８ａを有する。
【００４６】
第１案内手段６７は、図６〜図１１に示すように、第１案内通路６４の上下両側に前後方向に配置された上側案内部６７ａと下側案内部６７ｂとを有する。上側案内部６７ａと下側案内部６７ｂとの間隔は、前部側が遊技球の直径よりも小さく、誘導通路６３に移るに従って間隔が大になっている。
【００４７】
上側案内部６７ａと下側案内部６７ｂは、第１入賞口６１から入賞した遊技球の第２入賞口６２側への横移動を前側部分で規制しながら、第１案内通路６４内を案内部６７ａ，６７ｂに沿って後方へと案内した後、誘導通路６３の前側近傍で案内部６７ａ，６７ｂによる横移動の規制を解除して遊技球を誘導通路６３の案内壁６０ａへと移動させるようになっている。
【００４８】
通路底壁６３ａは前側部５２から遊技盤４の開口部５９内に突出している。第１案内手段６７の上側案内部６７ａは前側部５２から遊技盤４の開口部５９内に突出しているが、下側案内部６７ｂは前側部５２の後端までであり、前側部５２の後端側で遊技球の横移動の規制を解除できるように、下側案内部６７ｂの後端側よりも低い段差壁７０が設けられている。
【００４９】
検出スイッチ６６は入賞口６１，６２に入賞した遊技球を検出して所定数の賞球を払い出させるためのものであって、遊技盤４の裏側で誘導通路６３の後端近傍に通過孔６６ａを有し、誘導通路６３の下側に配置され、後側部６０の保持部６０ｂに前後方向に挿脱自在に保持されている。なお、検出スイッチ６６は誘導通路６３の通路底壁６３ａに沿って前後方向に配置されている。
【００５０】
普通図柄始動手段２５，２６は遊技球の検出を条件に普通図柄表示手段３３の普通図柄を変動させるためのもので、図２に示すように、各通路３８，３９を経て落下する遊技球の通過を検出するようになっている。なお、遊技盤４の遊技領域１１には、図４に複合役物５０の上側周辺部分を示すように多数の遊技釘７１が配置されさている。
【００５１】
遊技に際しては、発射ハンドル９を操作して、球供給皿８内の遊技球を発射手段へと供給しながら、その遊技球を発射手段により遊技盤４側へと順次発射し、ガイドレール１５を経て遊技領域１１へと遊技球を打ち込む。このとき通常確率状態であれば、第１特別図柄始動手段２９に入賞し易い左側通路３８に遊技球が集中するように左打ちをする。
【００５２】
左側通路３８の上部に打ち込まれた遊技球は、左側通路３８に沿って下方に流下した後、遊技球が普通入賞手段３２、第１特別図柄始動手段２９等に入賞するか、又は入賞せずにアウト球口４５から遊技盤４の裏側へと移動する。
【００５３】
例えば、複合役物５０のサイド飾り手段４９の上側周辺へと流下した遊技球は、サイド飾り手段４９のサイド飾り部５３の上面の傾斜案内部５６を経て遊技釘７１等に衝突しながら普通入賞手段３２側へと案内された後、普通入賞手段３２の前側部５２とサイド飾り手段４９のサイド飾り部５３との間の連結部５４の前側を経て下方に流下するか、又は普通入賞手段３２の第１入賞口６１へと入賞する。
【００５４】
なお、普通入賞手段３２の前側部５２とサイド飾り手段４９のサイド飾り部５３との間を流下した遊技球は、ガイドレール１５の内レール１７に沿って普通入賞手段３２の下側をアウト球口４５へと案内されていく。
【００５５】
普通入賞手段３２の周辺の遊技球は、第１入賞口６１又は第２入賞口６２に入賞する可能性がある。そして、第１入賞口６１に入賞した遊技球は第１案内通路６４を経て、また第２入賞口６２に入賞した遊技球は第２案内通路６５を経て夫々誘導通路６３へと移動し、その誘導通路６３の後端から遊技盤４の裏側へと落下し、その落下時に検出スイッチ６６により検出される。
【００５６】
このように普通入賞手段３２は第１入賞口６１と第２入賞口６２とを備え、その各入賞口６１，６２に入賞した遊技球を共通の検出スイッチ６６で検出するように構成しているため、一つの普通入賞手段３２が云わば２つの入賞手段として機能することとなり、単一の入賞口を有する普通入賞手段３２を配置する場合に比較して構造的に簡素化することができる。
【００５７】
第２入賞口６２に入賞した遊技球は、第２案内通路６５の第２案内手段６８によって誘導通路６３へと円弧状に案内されて行く。一方、第１入賞口６１に入賞した遊技球は、傾斜底壁６１ａ上を遊技盤４の前面と略平行に移動して、図９に示すように、第１案内手段６７の上側案内部６７ａと下側案内部６７ｂとの前側部分で受け止められた後、第１案内通路６４上を上側案内部６７ａと下側案内部６７ｂとに沿って後方へと移動する。そして、第１案内通路６４の後端側で図８に示すように段差壁７０上に落下した後、第１案内通路６４から誘導通路６３側へと移動する。
【００５８】
従って、第２入賞口６２側に入賞した遊技球は第２案内通路６５を経て誘導通路６３へと円弧状にスムーズに移動するのに対して、第１入賞口６１側に入賞した遊技球は第１案内手段６７の上側案内部６７ａと下側案内部６７ｂとで一旦受止めてから、その上側案内部６７ａと下側案内部６７ｂとに沿って第１案内通路６４上を後方へと移動して誘導通路６３へと案内するため、第１入賞口６１と第２入賞口６２とに略同時に遊技球が入賞するようなことがあっても、普通入賞手段３２内の遊技球の衝突、詰まり等を未然に防止することができる。
【００５９】
遊技球が第１特別図柄始動手段２９に入賞すると、第１特別図柄表示手段３４の第１特別図柄、演出図柄表示手段４６の演出図柄４７ａ〜４７ｃが同期して所定時間変動する。そして、第１特別図柄始動手段２９に遊技球が入賞したときの抽選結果が特別遊技であるか否かに応じて、第１特別図柄表示手段３４の第１特別図柄が所定時間変動して、その変動後の第１特別図柄が特別態様又は非特別態様で停止し、演出図柄表示手段４６の演出図柄４７ａ〜４７ｃが特別演出態様又は非特別演出態様で停止する。
【００６０】
通常確率状態中でも右側通路３９に進入した遊技球が普通図柄始動手段２５，２６に入賞すれば、普通図柄表示手段３３の普通図柄が変動して変動後に特定態様で停止することもある。しかし、通常確率状態中は第２特別図柄始動手段３０の開放時間が極僅かであるため、第２特別図柄始動手段３０に遊技球が入賞する可能性は非常に低い。
【００６１】
第１特別図柄表示手段３４の変動後の第１特別図柄が特別態様で停止すれば遊技者に有利な特別遊技状態となり、開閉入賞手段３１が抽選された所定の開閉パターンで所定ラウンド数開閉動作を繰り返すので、遊技者は開閉入賞手段３１に遊技球が入賞し易い右側通路３９側に遊技球を集中させるべく右打ちをする。
【００６２】
右側通路３９に入った遊技球は前構造体２３の下側を経て遊技領域１１の中央側へと移動した後、普通図柄始動手段２５，２６、開閉入賞手段３１、特別図柄始動手段２９，３０等に入賞するか、アウト球口４５側へと流下する。なお、特別遊技の場合には、所定の開閉パターンで開閉する可変入賞口３１ａに入賞する。
【００６３】
複合役物５０は普通入賞手段３２側の前側部５２とサイド飾り手段４９側のサイド飾り部５３との間を補強部５５により補強しているので、前側を遊技球が通過可能な連結部５４で一体に連結しているにも拘わらず、複合役物５０の連結部５４の強度が向上する。従って、複合役物５０を遊技盤４に装着するまでの間の複合役物５０の取り扱い時に、複合役物５０が連結部５４で折損する等の損傷を未然に防止でき、また複合役物５０を固定具５１で遊技盤４に取り付ける際に、連結部５４側が遊技盤４の前面から浮き上がる等の問題も防止できる。
【００６４】
しかも、連結部５４を補強する補強部５は遊技盤４の前面よりも後方に突出しない構造であるため、この補強部５５との関係で遊技盤４に開口を形成する必要はなくなる。従って、この複合役物５０の場合にも、遊技盤４側の開口部５９は普通入賞手段３２の後側部６０に対応する大きさ、形状であればよいので、従来に比較して開口部５９の大きさを小さくでき、遊技盤４の強度の低下を防止することができる。
【００６５】
しかもまた連結部５４の前側を流下する遊技球をアウト球口４５側へと案内する突出案内部５３ａがサイド飾り手段４９のサイド飾り部５３から連結部５４の下部側へと伸びているため、この突出案内部５３ａでも連結部５４を補強することができる。
【００６６】
図１５、図１６は本発明の第２の実施形態を例示する。この実施形態では、板状の連結部５４は遊技盤４の前面に当接して設けられており、この連結部５４の前面側には、上下両側に配置されたリブ部５５ａ，５５ｂと、このリブ部５５ａ，５５ｂ間に斜め方向に配置されたリブ部５５ｃとを含む補強部５５が一体に設けられている。他の構成は第１の実施形態と同様である。
【００６７】
このように板状の連結部５４を遊技盤４の前面に当接して配置し、その連結部５４の前側に補強部５５を一体に設けてもよい。なお、この場合には補強部５５のリブ部５５ｃの前側を通過する遊技球と接触するが、リブ部５５ｃ間に遊技球が引っ掛からない程度であれば、遊技球の流れに支障を来すことはない。
【００６８】
図１７は本発明の第３の実施形態を例示する。この実施形態では、連結部５４は縦断面形状がジグザグ状となるように成型する等、前後に屈曲する屈曲部５５ｄが上下方向に交互に複数配置された屈曲構造となっており、その屈曲部５５ｄが補強部５５を構成するようになっている。他の構成は第１の実施形態と同様である。
【００６９】
このように連結部５４自体を縦断面ジグザグ、その他の屈曲形状にすることも可能である。この場合には、屈曲構造により連結部５４と補強部５５とを一体に構成することができる。
【００７０】
図１８は本発明の第４の実施形態を例示する。この実施形態では、連結部５４は遊技盤４の前面に当接する板状の当接部５４ｃと、遊技盤４の前面から前側に離間する板状の離間部５４ｄと、その当接部５４ｃと離間部５４ｄとを上下に接続する傾斜部５４ｅとを一体に備えており、その当接部５４ｃ、離間部５４ｄ及び傾斜部５４ｅが補強部５５を兼用する構造となっている。他の構成は第１の実施形態と同様である。
【００７１】
このように連結部５４は当接部５４ｃ、離間部５４ｄ及び傾斜部５４ｅにより構成することも可能である。この場合には、離間部５４ｄの下端側が遊技盤４の前面から浮き上がった状態になるが、普通入賞手段３２の前側部５２及びサイド飾り手段４９のサイド飾り部５３が遊技盤４の前面に当接しているので、遊技盤４の前面に安定よく固定できる。
【００７２】
また連結部５４は当接部５４ｃから離間部５４ｄへと下側になるに従って突出量が順次大になるため、連結部５４の前側を遊技球がスムーズに流下し易くなる。なお、離間部５４ｄの裏側に、遊技盤４の前面に当接するようにリブを設けてもよい。
【００７３】
図１９、図２０は本発明の第５の実施形態を例示する。この実施形態の複合役物５０は、普通入賞手段３２の前側部５２とサイド飾り手段４９のサイド飾り部５３とに跨がって設けられ且つ遊技盤４の前面に当接するベース板７２を備えている。
【００７４】
サイド飾り手段４９はベース板７２から一体に突出するサイド飾り部５３と、ベース板７２から一体に突出し且つサイド飾り部５３の先端から下側に伸びる案内壁７３とを有し、そのサイド飾り部５３と案内壁７３とによりサイド飾り手段４９の規制部が構成されている。
【００７５】
普通入賞手段３２はベース板７２から一体に突出する前側部５２を有する。ベース板７２は普通入賞手段３２の前側部５２とサイド飾り手段４９のサイド飾り部５３とを連結する連結部５４を構成し、また普通入賞手段３２の前側部５２とサイド飾り手段４９のサイドサイド飾り部５３との前端部間に、連結部５４を補強する板状の補強部５５が一体に設けられている。
【００７６】
この場合には、普通入賞手段３２の前側部５２とサイド飾り手段４９のサイド飾り部５３との間を流下する遊技球は、ベース板７２又は連結部５４と補強部５５との間を通過する。このように普通入賞手段３２の前側部５２とサイド飾り手段４９のサイド飾り部５３との前後に連結部５４と補強部５５とを離間して設けることにより、その補強部５５によって連結部５４を補強することも可能である。
【００７７】
なお、この場合、補強部５５を介して遊技球を視認できるように、補強部５５に透明な合成樹脂材料を用いる等、補強部５５に遊技球の視認部を設けることが望ましい。また補強部５５は各規制部に対して着脱自在に設けてもよい。連結部５４と補強部５５とは前後逆に配置してもよい。
【００７８】
図２１〜図２３は本発明の第６の実施形態を例示する。この実施形態では、前構造体２３の支持枠４０は、外周部が開口部７５の外側で遊技盤４の前面に当接する台板７６と、この台板７６の下部側を除く領域で台板７６から前側に突出する略門形状の前周壁部７７と、台板７６から裏側に突出して開口部７５の内周近傍に配置された補強壁部７８とを有し、台板７６が遊技盤４の前側にネジ等の固定具により着脱自在に装着されている。
【００７９】
右側通路３９側の台板７６には、この右側通路３９を流下する遊技球の速度を制限する速度制限部３９ａが通路方向に所定間隔を置いて複数設けられている。速度制限部３９ａは台板７６から前側に突出する突条により構成されている。台板７６には右側通路３９の下部に屈曲通路部７９と球案内部８０とが設けられ、その下側に凹入部８１と支持部８２とが設けられている。
【００８０】
球案内部８０は右側通路３９から流下する遊技球を内側に案内するためのもので、遊技球を前周壁部７７の断面コ字状に形成された突出部７７ａとの間に屈曲通路部７９の間隔をおいて台板７６から前側に突出して設けられている。
【００８１】
支持部８２には普通図柄始動手段２６が装着されている。凹入部８１は支持部８２の上側で中央側へと凹入するように形成されている。なお、凹入部８１内の遊技盤４には、屈曲通路部７９から普通図柄始動手段２６側に流下する遊技球が衝突するように遊技釘が設けられている。
【００８２】
支持枠４０には開口部７５内に配置される補強壁部７８が台板７６の裏側に設けられているが、台板７６の一部により構成されて前周壁部７７と球案内部８０とを連結する連結部８３の裏側には補強壁部７８が設けられておらず、しかもその連結部８３の前側が屈曲通路部７９となっている。
【００８３】
連結部８３は前面が台板７６側の速度制限部３９ａの突出高さと略同じとなるように遊技盤４の前面から前側に離間して設けられており、この連結部８３の後側に、遊技盤４の前面に当接するリブ状の補強部８４が設けられている。
【００８４】
この実施形態では、前周壁部７７及び球案内部８０によって規制部が構成され、その前周壁部７７及び球案内部８０が台板７６の連結部８３を介して連結されている。
【００８５】
このように前構造体２３の台板７６に、右側通路３９の下部側で前周壁部７７の外周側に屈曲通路部７９を介して球案内部８０を突出状に設ける場合にも、その連結部８３の後側に補強部８４を設けて、その補強部８４により連結部８３を補強することも可能である。従って、前構造体２３側においても、遊技盤４の前面から後方に突出する補強部を設ける場合に比較して、遊技盤４の開口部７５等の開口量を少なくすることができる。
【００８６】
なお、この実施形態では、台板７６の左側通路３８の下側部分、普通図柄始動手段２６用の支持部８２に対応する部分においても、遊技盤４の前面から後方に突出しない補強部を設けることも可能である。
【００８７】
以上、本発明の各実施形態について例示したが、本発明はこの各実施形態に限定されるものではなく、本発明の趣旨を逸脱しない範囲で種々の変更が可能である。例えば、各実施形態ではパチンコ機について例示しているが、パチンコ機以外のアレンジボール機、雀球機、その他の遊技機に広く採用可能である。
【００８８】
また複数の規制部を備えた役物として、普通入賞手段３２とサイド飾り手段４９とを備えた複合役物５０、前周壁部７７と球案内部８０とを備えた前構造体２３について例示しているが、その他の役物でも同様に採用することが可能である。
【００８９】
第１の実施形態の複合役物５０では、その普通入賞手段３２は左右に２個の入賞口６１，６２を備えた構成になっているが、上向き、上横向き、横向き等のテーブル方向に開口する１個の入賞口を備えたものでもよい。
【００９０】
また複合役物５０は複数、例えば２個の普通入賞手段３２を所定の間隔を置いて備えたものでもよい。その場合、一方又は両方の普通入賞手段３２は、遊技盤４から前側に突出する前側部（規制部）５２に１個又は２個の入賞口を備えたものでもよい。
【００９１】
前側部（規制部）５２を備えた入賞手段は、普通入賞手段３２以外の開閉型入賞手段でもよい。例えばその開閉型入賞手段としては、前側部（規制部）５２に上向きに形成された入賞口と、入賞口の上部側に前後方向に開閉自在に配置され且つ突出状態のときに入賞口の上側を閉じる開閉部材とを備え、突出状態の開閉部材により遊技球を左右方向の一方又は両方に案内するようにしたものでもよい。
【００９２】
複数の規制部間を連結する連結部５４，８３は、規制部の後部側に配置して後部側同士を連結するようにしているが、規制部の前部側同士を連結するように配置して、その裏側を遊技球が通過するようにしてもよい。その場合、補強部５５は連結部５４，８３の裏面に一体に形成してもよいし、連結部５４，８３から後方に離れて、遊技盤４の前面に近接又は当接するように配置して、連結部５４，８３との間を遊技球が通過するようにしてもよい。
【００９３】
補強部５５は連結部５４を補強できるものであって、連結部５４の前側又は後側を遊技球が通過でき、しかも遊技盤４の前面よりも裏側に突出しないものであれば、任意の構造を採用することが可能である。
【００９４】
各規制部、連結部５４及び補強部５５は、その役物全体が構造的に簡単であれば一体に成型することが望ましいが、別体構造でもよい。例えば規制部、連結部５４及び補強部５５の夫々を別体に構成して結合手段により結合してもよいし、連結部５４と補強部５５とを一体に構成し、その連結部５４を介して各規制部を結合してもよい。また各規制部と連結部５４とを一体に構成し、その連結部５４を補強するように補強部５５を設けてもよい。
【００９５】
複合役物５０を合成樹脂材料により成型する場合には、サイド飾り部５３を発光手段により裏側から発光させる必要から、サイド飾り部５３、連結部５４、前側部５２は光透過性を有する透明等の材料を使用することが望ましい。サイド飾り部５３に発光孔を設ける場合には、光透過性のないものでもよい。
【符号の説明】
【００９６】
４  遊技盤
３２  普通入賞手段
４９  サイド飾り手段
５０  複合役物
５２  前側部（規制部）
５３  サイド飾り部（規制部）
５４  連結部
５５  補強部
６９  流下通路
【図１】
0006787669.tif 000002
【図２】
0006787669.tif 000003
【図３】
0006787669.tif 000004
【図４】
0006787669.tif 000005
【図５】
0006787669.tif 000006
【図６】
0006787669.tif 000007
【図７】
0006787669.tif 000008
【図８】
0006787669.tif 000009
【図９】
0006787669.tif 000010
【図１０】
0006787669.tif 000011
【図１１】
0006787669.tif 000012
【図１２】
0006787669.tif 000013
【図１３】
0006787669.tif 000014
【図１４】
0006787669.tif 000015
【図１５】
0006787669.tif 000016
【図１６】
0006787669.tif 000017
【図１７】
0006787669.tif 000018
【図１８】
0006787669.tif 000019
【図１９】
0006787669.tif 000020
【図２０】
0006787669.tif 000021
【図２１】
0006787669.tif 000022
【図２２】
0006787669.tif 000023
【図２３】
0006787669.tif 000024